(57)【特許請求の範囲】
【請求項１】
プレキャストコンクリート板の小口部の一方に設けた凹溝内に受け金物が設置され、該受け金物は長孔を備えた上部プレートと、該上部プレートの下面に設けた断面凹形の受け体とからなり、該受け体には凹溝の側壁に設けた引きボルトがねじ込まれる一方、前記側壁に設けた押しボルトの先端部が当接されたことを特徴とする壁用プレキャストコンクリート板。
【請求項２】
上階の床と下階の床との間に壁用プレキャストコンクリート板が設けられ、該壁用プレキャストコンクリート板の上部は小口部の受け金物に上階の床の下面から突出した接合ピンが挿入して面内方向に移動可能に接合され、壁用プレキャストコンクリート板の下部は下階の床に剛接合されたことを特徴とする壁。
【請求項３】
上階の床と下階の床との間に壁用プレキャストコンクリート板を設置し、該壁用プレキャストコンクリート板の小口部の受け金物に上階の床から突出した接合ピンを挿入するとともに、前記受け金物の面外方向の位置を調整した後、壁用プレキャストコンクリート板の下部を下階の床に剛接合することを特徴とする壁の構築方法。
【発明の詳細な説明】
【０００１】
【発明の属する技術分野】
本発明は壁用プレキャストコンクリート板および壁ならびにその構築方法に関するものである。
【０００２】
【従来の技術】
上階と下階とのバルコニーの間の立ち上げ壁に沿って設けたマリオン壁は、図１２に示すように、上部を上階のバルコニー２５の下面にファスナー２７で固定するとともに、下部を下階のバルコニー２６の立ち上げ壁２６ａに固定していた。またマリオン壁２８の構築は、上階と下階とのバルコニー２５、２６の間に壁用プレキャストコンクリート板２９を設置した後、上部を上階のバルコニー２５の下面にファスナー２７で固定した後、下部と下階のバルコニー２５、２６の立ち上げ壁２６ａとの間にモルタル３０を充填していた。
【０００３】
【発明が解決しようとする課題】
しかし、上記のマリオン壁は、上部を上階のバルコニーの下面にファスナーで固定していたため、該ファスナーを隠すためのカバーを必要としていた。また、このカバーを設けたとしてもマリオン壁の上部にカバーで覆われたファスナーが露出するため見栄えが悪かった。
【０００４】
本発明はこれらの問題に鑑みてなされたものであり、その目的は、見栄えが良く、かつ簡単に構築できる壁用プレキャストコンクリート板および壁ならびにその構築方法を提供することである。
【０００５】
【課題を解決するための手段】
以上の課題を解決するため手段は、請求項１の発明が、プレキャストコンクリート板の小口部の一方に設けた凹溝内に受け金物が設置され、該受け金物は長孔を備えた上部プレートと、該上部プレートの下面に設けた断面凹形の受け体とからなり、該受け体には凹溝の側壁に設けた引きボルトがねじ込まれる一方、前記側壁に設けた押しボルトの先端部が当接されたことを特徴とする。
【０００６】
請求項１の発明によれば、壁を簡単に構築することができる壁用プレキャストコンクリート板が提供できる。
【０００７】
また請求項２の発明が、上階の床と下階の床との間に壁用プレキャストコンクリート板が設けられ、該壁用プレキャストコンクリート板の上部は小口部の受け金物に上階の床の下面から突出した接合ピンが挿入して面内方向に移動可能に接合され、壁用プレキャストコンクリート板の下部は下階の床に剛接合されたことを特徴とする。
【０００８】
請求項２の発明によれば、上階の床と下階の床とはバルコニーも含むものであり、マリオン壁、外壁または間仕切壁のいずれもファスナーを隠すカバーを必要とせずに構築できるとともに、これらの壁によって層間変位を吸収することもできるようになる。
【０００９】
また請求項３の発明が、上階の床と下階の床との間に壁用プレキャストコンクリート板を設置し、該壁用プレキャストコンクリート板の小口部の受け金物に上階の床から突出した接合ピンを挿入するとともに、前記受け金物の面外方向の位置を調整した後、壁用プレキャストコンクリート板の下部を下階の床に剛接合することを特徴とする。
【００１０】
請求項３の発明によれば、上階の床と下階の床とはバルコニーも含むものであり、壁用プレキャストコンクリート板によりマリオン壁、外壁または間仕切壁のいずれを構築する場合、受け金物の面外方向の位置を調整するだけで壁用プレキャストコンクリート板の上部の位置合わせをすることができる。また受け金物を調整することにより接合ピンの取り付け誤差を吸収することができる。
【００１１】
【発明の実施の形態】
以下、本発明の壁用プレキャストコンクリート板および壁ならびにその構築方法の実施の形態について説明する。
【００１２】
図１の（１）は壁用プレキャストコンクリート板（以下、壁用ＰＣ板という）の背面図、（２）は（１）のＡ−Ａ線断面図、図２の（１）は受け金物の斜視図、（２）は同断面図、図３は要部の背面図、図４は図３のＢ−Ｂ線断面図、図５の（１）は図３のＣ−Ｃ線断面図、（２）は同Ｄ−Ｄ線断面図である。
【００１３】
壁用ＰＣ板１は、いわゆるフルプレキャストコンクリート板の上側小口部に設けた一対の凹溝２に受け金物３が設置されて構成されている。この受け金物３は、図２に示すように、長孔５を備えた上部プレート４と、この下面に設けた断面凹形の受け体６とから構成され、該受け体６の背板７が前板８より幅広に形成されている。
【００１４】
受け金物３の上部プレート４は凹溝２の開口部を塞ぐとともに、凹溝２内の受け体６には操作溝９の固定板１０の引きボルト１１が一対ねじ込まれるとともに、これらの間に設置された押しボルト１２の先端部が当接している。
【００１５】
したがって、この引きボルト１１と押しボルト１２との操作で受け金物３が凹溝２内で面外方向に移動可能となる。例えば、引きボルト１１を右に回すとともに押しボルト１２を左に回すと受け金物３は前方に移動し、これとは反対に引きボルト１１を左に回すとともに押しボルトを右に回すと受け金物３は手前側に移動する。このように凹溝２は受け体６が自由に移動できる大きさになっている。
【００１６】
次に、壁の第１の実施の形態について説明する。図６〜図９は壁の第１の実施の形態であるマリオン壁１３を示したものであり、上階の床と下階の床は上下のバルコニー１４、１５であり、これらのバルコニー１４、１５の間の立ち上げ壁１４ａ、１５ａに沿って壁用ＰＣ板１が設けられ、受け金物３に上階のバルコニー１４から突出した接合ピン１６が挿入して上部が面内方向に移動可能に固定されるとともに、下部が下階のバルコニー１５の立ち上げ壁１５ａに剛接合されている。
【００１７】
前記接合ピン１６は上階のバルコニー１４に埋設されたインサートパイプ１７から突出し、その先端部が上部プレート４の長孔５および受け体６内に挿入されている。この長孔５と受け体６とは面内方向に長く形成されているため、マリオン壁１３の上部が面内方向に移動可能となって層間変位を吸収することができる構成となっている。また凹溝２と操作溝９とにはモルタル１８が充填されている。
【００１８】
また図１０は、壁の第２の実施の形態であるマリオン壁１９を示したものであり、接合ピン１６がボルト２０に代わった以外は第１の実施の形態のマリオン壁１３と同じ構成である。第１の実施の形態のマリオン壁１３においては接合ピン１６が受け体６の底面に当接するまでインサートパイプ１７から突出していたが、このボルト２０は頭部のナット２１が収納孔２２の段部２３に引っ掛かって下部だけが受け体６内に挿入されている。
【００１９】
また図１１は、壁の第３の実施の形態を示したものであり、上記のマリオン壁１３、１９の他に壁用ＰＣ板１を使用して外壁１３ａおよび間仕切壁１３ｂを構築したものである。
【００２０】
以下に、図６〜図９における壁の第１の実施の形態であるマリオン壁１３に基づいて壁の構築方法について説明する。まず、図１に示す壁用ＰＣ板１、すなわち上側小口部に受け金物３が設置されたものを現場に搬入する。一方、前記壁用ＰＣ板１が設置される各階のバルコニー１４、１５…には接合ピン１６が予め収納され、図９の（１）に示すように、止め板２４で下側への突出を押さえている。
【００２１】
次に、上記の壁用ＰＣ板１をクレーンで吊り上げて、図６に示すように、上階および下階のバルコニー１４、１５の間に設置して、上部の位置合わせを行うとともに上階のバルコニー１４における止め板２４を取り外して接合ピン１６を上部プレートの長孔５と受け体６とに挿入する。このように接合ピン１６が上階のバルコニー１４内に収納されているため、壁用ＰＣ板１の位置合わせをした後に接合ピン１６を受け金物３内に挿入することができるようになる。
【００２２】
この接合ピン１６が受け金物３に挿入されて壁用ＰＣ板１の上部が仮固定されると、図８に示すように引きボルト１１と押しボルト１２で受け金物３を移動させて面外方向の微調整を行う。この微調整、すなわち壁用ＰＣ板１の表面と上階のバルコニーの立ち上げ壁１４ａの表面とを一致させた後に凹溝２と操作溝９とにモルタル１８を充填する。
【００２３】
このように壁用ＰＣ板１の上部の固定が終わったら、下部を下階のバルコニー１５の立ち上げ壁１５ａにモルタル１８などで剛接合すると、図６に示すような、上部が面内方向に移動可能となったマリオン壁１が構築される。
【００２４】
【発明の効果】
壁を簡単に構築できる壁用ＰＣ板を提供することができる。
【００２５】
ファスナーを隠すカバーを必要とせず、かつ見栄えの良い壁を構築できるとともに層間変位を吸収することができる壁を構築することができる。
【００２６】
壁用ＰＣ板の上部の位置合わせが、受け金物の面外方向の位置を調整するだけでできる。
【００２７】
受け金物を調整することにより接合ピンの取り付け誤差を吸収することができる。
【図面の簡単な説明】
【図１】（１）は壁用ＰＣ板の背面図、（２）は（１）のＡ−Ａ線断面図である。
【図２】（１）は受け金物の斜視図、（２）は同断面図である。
【図３】壁用ＰＣ板の要部の背面図である。
【図４】図３のＢ−Ｂ線断面図である。
【図５】（１）は図３のＣ−Ｃ線断面図、（２）は同Ｄ−Ｄ線断面図である。
【図６】（１）は第１の実施の形態の壁の背面図、（２）は（１）のＥ−Ｅ線断面図である。
【図７】図６の壁の要部の背面図である。
【図８】図７のＦ−Ｆ線断面図である。
【図９】（１）は図７のＧ−Ｇ線断面図、（２）は同Ｈ−Ｈ線断面図である。
【図１０】（１）は第２の実施の形態の壁の要部の背面図、（２）は（１）のＩ−Ｉ線断面図である。
【図１１】第３の実施の形態の壁の断面図である。
【図１２】従来のマリオン壁の断面図である。
【符号の説明】
１、２９  壁用ＰＣ板
２  凹溝
３  受け金物
４  上部プレート
５  長孔
６  受け体
７  背板
８  前板
９  操作溝
１０  固定板
１１  引きボルト
１２  押しボルト
１３、１９、２８  マリオン壁
１４、２５  上階のバルコニー
１５、２６  下階のバルコニー
１４ａ、１５ａ、２６ａ  立ち上げ壁
１６  接合ピン
１７  インサートパイプ
１８、３０  モルタル
２０  ボルト
２１  ナット
２２  収納孔
２３  段部
２４  止め板
２７  ファスナー
【図１】
0004210405.tif 000002
【図２】
0004210405.tif 000003
【図３】
0004210405.tif 000004
【図４】
0004210405.tif 000005
【図５】
0004210405.tif 000006
【図６】
0004210405.tif 000007
【図７】
0004210405.tif 000008
【図８】
0004210405.tif 000009
【図９】
0004210405.tif 000010
【図１０】
0004210405.tif 000011
【図１１】
0004210405.tif 000012
【図１２】
0004210405.tif 000013